(57)【特許請求の範囲】
【請求項１】
可動部材に設けられた突起部材と、
前記可動部材の可動域端に回動自在に設けられ、前記突起部材が突き当てられる第１の面と該第１の面と略直交する第２の面とが形成されるとともに前記第２の面に前記突起部材が係合する段差が形成され、前記突起部材が第１の面に衝突した時の衝突力によって回動した際に前記第２の面が前記突起部材に当接し、前記段差に前記突起部材が係合して前記突起部材を保持するストッパ部材と、
前記突起部材と前記ストッパ部材との衝突による衝撃力を吸収する弾性部材と、
を備え、前記突起部材がストッパ部材に保持されることで可動レンズが可動域の終端に位置決めされるようにしたことを特徴とする光学装置。
【請求項２】
操作部材からの操作力に応じて可動レンズを移動させる光学装置において、
操作部材の操作に連動し、可動レンズを光軸に沿って変位させる可動部材と、  前記可動部材に設けられた突起部材と、
前記可動部材の可動域端に回動自在に設けられ、前記突起部材が突き当てられる第１の面と該第１の面と略直交する第２の面とを有し、前記突起部材が第１の面に衝突した時の衝突力によって回動した際に前記第２の面が前記突起部材に当接することによって前記突起部材を保持するストッパ部材と、
前記突起部材と前記ストッパ部材との衝突による衝撃力を吸収する弾性部材と、
を備え、前記突起部材が前記ストッパ部材に保持されることで前記可動レンズがストローク端で止まるようにしたことを特徴とする光学装置。
【請求項３】
操作部材からの操作力に応じて可動レンズを移動させる光学装置において、
操作部材の操作に連動し、可動レンズを光軸に沿って変位させる可動部材と、
前記可動部材の可動域端に設けられた突起部材と、
前記可動部材に回動自在に設けられ、前記突起部材が突き当てられる第１の面と該第１の面と略直交する第２の面とを有し、前記突起部材が第１の面に衝突した時の衝突力によって回動した際に前記第２の面が前記突起部材に当接することによって前記突起部材を保持するストッパ部材と、
前記突起部材と前記ストッパ部材との衝突による衝撃力を吸収する弾性部材と、
を備え、前記突起部材が前記ストッパ部材に保持されることで前記可動レンズがストローク端で止まるようにしたことを特徴とする光学装置。
【請求項４】
操作棒の押し引きでズーミングを行い、操作棒の回転でフォーカシングを行うようにした一軸二操作式のズームレンズ光学装置において、
操作棒の操作に連動し、ズーミング用の可動レンズを光軸に沿って変位させる円筒状のカム部材と、
前記カム部材の周面に形成された突起部材と、
前記カム部材が第１の方向に回転した時に前記突起部材が係合する第１の係合部と、前記カム部材が第２の方向に回転した時に前記突起部材が係合する第２の係合部とが一体に形成され、前記第１の係合部と第２の係合部の略中央部を支点として揺動自在に支持され、前記第１及び第２の係合部はそれぞれ前記突起部材が突き当てられる第１の面と該第１の面と略直交する第２の面とを有し、前記突起部材が第１の面に衝突した時の衝突力によって回動した際に前記第２の面が前記突起部材に当接することによって前記突起部材を保持するように構成されたストッパ部材と
前記突起部材と前記ストッパ部材との衝突による衝撃力を吸収する弾性部材とを備え、前記突起部材が前記第１の係合部又は第２の係合部によって保持されることで前記可動レンズがテレ端又はワイド端で停止するようにしたことを特徴とするズームレンズ光学装置。
【発明の詳細な説明】
【０００１】
【発明の属する技術分野】
本発明は光学装置に係り、特に、テレビカメラに用いられる一軸二操作式のズームレンズ装置に適用され、ズーム操作時のテレ端又はワイド端におけるレンズの振動を低減することができる光学装置に関する。
【０００２】
【従来の技術】
放送用テレビジョンカメラにおいては、操作棒の押し引きでズーミングを行い、操作棒の回転でフォーカシングを行う一軸二操作式のズームレンズ光学装置が広く用いられている（特公昭５９−３１６８１号公報、実開平３−７５４０７号公報等）。
【０００３】
通常、ズームレンズ光学装置に連結された１本の操作棒の右回転で無限遠、左回転で至近のフォーカス操作が行われ、操作棒の押しで長焦点側（テレ側）、引きで広角側（ワイド側）のズーム操作が行われる。
ズームレンズ光学装置の光学系は、被写体側から順にフォーカスレンズ群、バリエータレンズ群、コンペンセータレンズ群、及びリレーレンズ群から構成され、バリエータレンズ群とコンペンセータレンズ群を互いに離間させる方向に変位させると低倍率となり、相互に近接する方向に変位させれる高倍率となるものが一般的である。バリエータレンズ群とコンペンセータレンズ群とはそれぞれレンズ枠に保持され、各レンズ枠に突設された駆動ピンがカム筒に形成されたカム溝に係合している。バリエータレンズ群とコンペンセータレンズ群とは、カム筒に形成されたカム溝によって相互に光学的位置が規制されながら光軸に沿って前後に移動するようになっている。また、ズーム操作におけるワイド端及びテレ端の各位置を規制する必要があるため、カム筒に回転規制部材が設けられている。
【０００４】
【発明が解決しようとする課題】
ところで、操作棒を操作してズーム用の可動レンズ（バリエータレンズ群とコンペンセータレンズ群）を変位させる際に、その操作が低速で行われる場合は格別問題とならないが、高速で一方のストローク端から他方のストローク端まで操作されると、カム筒は回転規制部材に慣性力の作用で衝突して停止することになる。このとき、レンズの慣性力によって駆動ピンとカム筒との連結部を中心としてレンズが振動するという問題がある。このように、従来のズームレンズ光学装置では、カム筒を回転規制部材に突き当てることで、テレ端及びワイド端の位置を規制していたので、操作棒をクイック操作してテレ端、又はワイド端に移動させた場合には、回転規制部材との衝突時の反動でレンズが振動するという欠点があり、この反動でレンズが振られることによって、モニタ上に表示させる像が瞬間的に揺れたり、ボケたりするという問題がある。
【０００５】
特に、ズーム用の可動レンズは重量物であり大きな慣性力が作用するため、テレ端、又はワイド端に操作した際にレンズが大きく振れるとともに、駆動ピン及びカム溝が損傷するという欠点がある。急激な衝突によってズームカムに形成されたカム溝の幅方向にキズがつき、カム溝が変形してテレ端、ワイド端の位置の精度が悪くなるという問題があった。
【０００６】
本発明はこのような事情に鑑みてなされたもので、操作に応じて変位する可動レンズをストローク端で振動することなく停止させることができ、可動レンズとレンズ駆動部との損傷を防止することができる光学装置を提供することを目的とする。
【０００７】
【課題を解決するための手段】
本発明は前記目的を達成する為に、可動部材に設けられた突起部材と、前記可動部材の可動域端に回動自在に設けられ、前記突起部材が突き当てられる第１の面と該第１の面と略直交する第２の面とが形成されるとともに前記第２の面に前記突起部材が係合する段差が形成され、前記突起部材が第１の面に衝突した時の衝突力によって回動した際に前記第２の面が前記突起部材に当接し、前記段差に前記突起部材が係合して前記突起部材を保持するストッパ部材と、前記突起部材と前記ストッパ部材との衝突による衝撃力を吸収する弾性部材と、を備え、前記突起部材がストッパ部材に保持されることで可動レンズが可動域の終端に位置決めされるようにしたことを特徴とする。
【０００８】
本発明によれば、可動レンズが可動域の終端に向けて変位すると、可動部材に設けられた突起部材とストッパ部材とが互いに近づき、突起部材がストッパ部材の第１の面に衝突する。そして、その衝突力によってストッパ部材が回動する。このとき、弾性部材が変形することによって衝突時の衝撃力が吸収される。ストッパ部材が回動することによって当該ストッパ部材の第２の面が突起部材に当接し、更に、第２の面に形成される段差に突起部材が係合するので、突起部材を瞬時に抑え付け保持する。これにより、可動レンズを可動域の終端で振動することなく停止させることができる。また、可動レンズを可動域の終端から脱する方向に変位させたときには、弾性部材の復元力をかりてストッパ部材が元の位置に回動し、第２の面が突起部材から離れる。こうして、突起部材はストッパ部材からスムーズに開放される。
【０００９】
操作部材からの操作力に応じて可動レンズを移動させる光学装置に適用する場合には、操作部材の操作に連動して可動レンズを光軸に沿って変位させる可動部材に突起部材を設け、可動部材の可動域端にストッパ部材を設けることが考えられる。また、可動部材側にストッパ部材を設け、可動部材の可動域端に突起部材を設けても相対的な関係は同等である。
【００１０】
請求項４に記載の発明は、放送用テレビカメラに用いられる一軸二操作式のズームレンズ光学装置に適用したもので、操作棒の押し引きでズーミングを行い、操作棒の回転でフォーカシングを行うようにした一軸二操作式のズームレンズ光学装置において、操作棒の操作に連動し、ズーミング用の可動レンズを光軸に沿って変位させる円筒状のカム部材と、前記カム部材の周面に形成された突起部材と、前記カム部材が第１の方向に回転した時に前記突起部材が係合する第１の係合部と、前記カム部材が第２の方向に回転した時に前記突起部材が係合する第２の係合部とが一体に形成され、前記第１の係合部と第２の係合部の略中央部を支点として揺動自在に支持され、前記第１及び第２の係合部はそれぞれ前記突起部材が突き当てられる第１の面と該第１の面と略直交する第２の面とを有し、前記突起部材が第１の面に衝突した時の衝突力によって回動した際に前記第２の面が前記突起部材に当接することによって前記突起部材を保持するように構成されたストッパ部材と、前記突起部材と前記ストッパ部材との衝突による衝撃力を吸収する弾性部材と、を備え、前記突起部材が前記第１の係合部又は第２の係合部によって保持されることで前記可動レンズがテレ端又はワイド端で停止するようにしたことを特徴としている。
【００１１】
本発明によれば、操作棒をテレ側に操作すると、その操作に応じてカム部材が第１の方向に回転し、カム部材の突起部材がストッパ部材の第１の係合部に近づく。テレ端に操作された場合には、突起部材が第１の係合部の第１の面に衝突し、その衝突力によってストッパ部材が回動する。このとき、弾性部材が変形することによって衝突時の衝撃力が吸収される。ストッパ部材の回動によって第１の係合部の第２の面が突起部材に当接し、突起部材を瞬時に抑え付け保持する。これにより、可動レンズをテレ端位置で振動することなく停止させることができる。その後、テレ端位置から操作棒をワイド側に操作すると、カム部材が第２の方向（第１の方向と反対の方向）に回転する。この回転に伴い弾性部材の復元力をかりてストッパ部材が元の位置に回動し、突起部材はストッパ部材からスムーズに抜け出す。こうして、可動レンズはテレ端位置から滑らかに脱して、ワイド側へ変位する。
【００１２】
操作棒を更に操作して、ワイド端に操作した場合は、突起部材が第２の係合部の第１の面に衝突し、その衝突力によってストッパ部材が回動する。このとき、弾性部材が変形することによって衝突時の衝撃力が吸収され、この回動によって突起部材に前記第２の係合部の第２の面が当接し、突起部材を瞬時に抑え付け保持する。これにより、可動レンズをワイド端位置で振動することなく停止させることができる。このように、一つのストッパ部材でカム部材の回転範囲を規制しテレ端とワイド端の位置で振動することなく停止させることができるという利点がある。
【００１３】
【発明の実施の形態】
以下、添付図面に従って本発明に係る光学装置の好ましい実施の形態について詳説する。
図１乃至図６には、本発明に係る光学装置を例えば、放送用テレビレンズ装置に適用した場合が示されている。図１は、テレビレンズ装置の全体構成を示す斜視図であり、図２はテレビレンズ装置のレンズ鏡胴内部の構成を示す部分断面図である。
【００１４】
レンズ鏡胴１の内部には、被写体側から順に、フォーカスレンズ群１０、バリエータレンズ群１１、コンペンセータレンズ群１２、及びリレーレンズ群１３が配設されており、コンペンセータレンズ群１２とリレーレンズ群１３との間には絞り１４が設けられている（図２参照）。図２中各レンズ群１０、１１、１２、１３は１枚のレンズのように略図的に示しているが、それぞれのレンズ群１０、１１、１２、１３は複数のレンズから構成されている。
【００１５】
バリエータレンズ群１１及びコンペンセータレンズ群１２は、それぞれレンズ枠１１ａ、１２ａに保持されており、詳しくは図示されていないが、各レンズ枠１１ａ、１２ａにはそれぞれ１２０°位相を変えた位置にそれぞれ１つずつ合計３本の支持ピン１５、１６が突設されている。そして、各支持ピン１５、１６の先端にはベアリング１５ａ、１６ａが連結されている。
【００１６】
レンズ鏡胴１の周胴部には、前記各支持ピン１５、１６のベアリング１５ａ、１６ａが係合するガイド溝２が三箇所、光軸方向に長手に形成されている。ベアリング１５ａ、１６ａがガイド溝２に沿って転動することによって、バリエータレンズ群１１とコンペンセータレンズ群１２は光軸方向に変位するようになっている。
【００１７】
このように、バリエータレンズ群１１及びコンペンセータレンズ群１２はレンズ鏡胴１に３点で支持されており、しかもベアリング１５ａ、１６ａがガイド溝２に沿って転動することによって、これらレンズは光軸方向に移動可能となっている。
バリエータレンズ群１１とコンペンセータレンズ群１２を相互に近接する方向に変位させるとテレ側となり、両者間を遠ざけるように変位させるとワイド側になる。このようにバリエータレンズ群１１とコンペンセータレンズ群１２とを互いの光学的位置を規制しながらテレ側又はワイド側に変位させるための手段としてズームカム機構２０が設けられている。
【００１８】
ズームカム機構２０は、図１に示したようにカム筒２１を有し、該カム筒２１には、一対のカム溝２２ａ、２２ｂが形成されている。このカム溝２２ａ、２２ｂには、それぞれ、レンズ枠１１ａ、１２ａに突設したピン１７、１８の先端のベアリング１７ａ、１８ａが係合している。
カム筒２１は、支軸２３に回転可能に支持されており、該カム筒２１にプーリ２４が一体的に連結されている。このプーリ２４には操作ワイヤ２５が巻回されており、該操作ワイヤ２５はプーリ２６ａ、２６ｂ、２７ａ、２７ｂを介して往復ブロック２８に連結されている。この往復ブロック２８は、中空軸２９の鞘部材２９ａに嵌合したスライドリング３０に取り付けられている。
【００１９】
スライドリング３０は、鞘部材２９ａに設けられたスリット３１を介して操作棒２９ｂに連結されており、該操作棒２９ｂを押し引き操作することによってズーム操作を行うことができるようになっている。操作棒２９ｂの押し引き操作は、撮影者の手動操作によって行われるものであり、操作棒２９ｂの先端には指掛け部３２が設けられている。
【００２０】
図３は、本発明に係る光学装置の第１の実施の形態の構成を示す要部拡大図であり、図１に示したテレビレンズ装置に適用されるものである。図中符号５２は可動レンズ群、符号５４は可動レンズ群を保持する移動枠、符号５５は、鏡胴本体部材である。なお、可動レンズ群５２は、図２に示したバリエータレンズ群１１又はコンペンセータレンズ群１２に相当し、移動枠５４はレンズ枠１１ａ又は１２ａに相当する。なお、可動レンズ群５２は複数のレンズから構成されているが、図３においては略図的に示している。
【００２１】
移動枠（可動部材に相当）５４は、操作棒２９ｂの操作に応じて光軸に沿って移動自在に支持されており、該移動枠５４の周胴には、直方形状の突起部材５６が設けられている。鏡胴本体５５の端部には、断面が略Ｌ字形状の回転レバー（ストッパ部材に相当）５８が配設されている。回転レバー５８は、鉛直下方向に延出した鉛直部５８Ａと、前記鉛直部と略直交し、略水平方向に延出した水平部５８Ｂとを有し、鉛直部５８Ａと水平部５８Ｂとが交わる折り曲げ部を回転中心として軸６０に回動自在に支持されている。鉛直部５８Ａの内側面（第１の面に相当）６２ａと、水平部５８Ｂの内側面（第２の面に相当）６２ｂとは、９０度よりもやや大きい角度で形成され、水平部５８Ｂの下面には、前記突起部材５６が係合する段差６３が形成されている。
【００２２】
回転レバー５８と鏡胴本体５５の間には緩衝材としてゴム（弾性部材）６４が設けられている。ゴム６４は回転レバー５８側に固着されていてもよいし、鏡胴本体５５側に固着されていてもよい。
上記の如く構成された光学装置によれば、撮影者が手動操作で操作棒２９ｂを押し引き操作することで、往復ブロック２８が図１の矢印方向に移動してワイヤ２５が引っ張られる。ワイヤ２５が巻回されているプーリ２４が回転して、カム筒２１が回転する。カム筒２１が回転するとレンズ枠１１ａ、１２ａのピン１７、１８の先端のベアリング１７ａ、１７ｂがカム溝２２ａ、２２ｂに沿って転動し、バリエータレンズ群１１とコンペンセータレンズ群１２が相互に近接・離間する方向に変位する。これにより、ズーム操作が行われる。
【００２３】
操作棒２９ｂが操作されて移動枠５４が図３中左方向に変位し、突起部材５６が回転レバー５８の内側面６２ａに衝突すると、その衝突力によって回転レバー５８は図中時計方向に回動する（図４参照）。回転レバー５８が回動することによって、回転レバー５８の水平部５８Ｂの内側面６２ｂが瞬時に突起部材５６の上方から当接し、突起部材５６を上側から押圧保持する。このとき、前記段差６３に突起部材５６の上部が嵌合し、突起部材５６の振動を止める。また、回転レバー５８が回動することによってゴム６４が変形し、衝撃力が吸収される。
【００２４】
操作棒２９ｂを戻すと移動枠５４が図中右方向に変位し、これに伴ってゴム６４の復元力をかりて回転レバー５８が図中反時計方向に回動し、元の位置に戻る。回転レバー５８の内側面６２ａと６２ｂとは、９０度よりもやや大きい角度で形成されているので、回転レバー５８が反時計方向に回動した際に突起部材５６は回転レバー５８の係合からスムーズに抜け出すことができる。
【００２５】
これにより、操作棒２９ｂをクイック操作して可動レンズをテレ端又はワイド端に変位させた場合でも、レンズがテレ端又はワイド端の位置で振動することなく、正確に停止させることができる。また、テレ端又はワイド端からの離脱も滑らかに行うことができる。
図５には、本発明に係る光学装置の第２の実施の形態の要部構成が示されている。同図に示す光学装置は、図３に示した突起部材と回転レバーの配置関係を相互に入れ替えたもので、図３に示した実施の形態と同一又は類似の部材には同一の符号を付し、その説明は省略する。
【００２６】
鏡胴本体５５に直方形状の突起部材５６が形成され、移動枠５４に前記突起部材５６と係合する回転レバー５８が取り付けられている。回転レバー５８は、移動枠５４に固着された支持部材７２に回転軸６０を中心に回動自在に支持されている。突起部材５６の側面には、該突起部材５６と回転レバー５８との衝撃力を緩和するゴム６４が固着されており、突起部材５６と回転レバー５８の内側面６２ａとが衝突した際に、前記ゴム６４が変形して衝突時の衝撃力を吸収するようになっている。
【００２７】
上記の如く構成された光学装置によれば、操作棒２９ｂが操作されて移動枠５４が図中左方向に変位したとき、回転レバー５８の内側面６２ａが突起部材５６に衝突する。この時の突起部材５６に固着されたゴム６４が変形して衝撃力を緩和する。また、この時の衝突力によって回転レバー５８は図中時計方向に回動する。
【００２８】
この回動によって、回転レバー５８の内側面６２ｂが瞬時に下方から突起部材５６に当接し、突起部材５６を押圧し突起部材５６を保持する。このとき、回転レバー５８の内側面６２ｂに形成された段差６３に突起部材５６の底面部が嵌合し、突起部材５６の振動を止める。
操作棒２９ｂを戻すと移動枠５４が図中右方向に変位し、これに伴ってゴム６４の復元力をかりて回転レバー５８が図中反時計方向に回動する。回転レバー５８の内側面６２ａと６２ｂとは、９０度よりもやや大きい角度で形成されているので、回転レバー５８が反時計方向に回転した際に突起部材５６は回転レバー５８の係合からスムーズに抜け出すことができる。
【００２９】
図６には、本発明に係る光学装置の第３の実施の形態の要部構成が示されている。図３から図５に示した実施の形態では、可動レンズの移動枠の変位を直接規制する構造を例に説明したが、図６に示す光学装置は、図１に示したズームレンズ装置に適用されるものであり、可動レンズの移動枠を変位させるカム筒の回動を規制するものである。
【００３０】
バリエータレンズ群１１を保持するレンズ枠１１ａにはピン１７が突設され、該ピン１７の先端にはベアリング１７ａが設けられている（図１、図２参照）。一方、カム筒２１は支軸２３に回転自在に支持され、該カム筒２１の周面にはカム溝２２ａが形成されている。このカム溝２２ａには、前記ベアリング１７ａが係合している。カム筒２１の周面には、直方形状の突起部材７８が形成されている。また、カム筒２１の外側の固定筒８０には、支持部材８４を介して略Ｔ字状のストッパ部材８２が揺動自在に設けられている。
【００３１】
このストッパ部材８２は、カム筒２１が図中時計方向に回転して突起部材７８が図中一点鎖線で示す位置７８Ａ′に到達した際に、前記突起部材７８が係合する第１の係合部と、前記カム筒２１が図中反時計方向に回転した時に前記突起部材７８が係合する第２の係合部とが一体的に形成され、前記第１の係合部と第２の係合部の略中央部を支点として揺動自在に支持されている。即ち、このストッパ部材８２は、図３に示したＬ字形状の回転レバー５８を二つ反対向きに接合させたものに相当している。
【００３２】
前記第１の係合部は、カム筒２１が図中時計方向に回動した際に、前記突起部材７８が突き当てられる内側面（第１の面）８６ａと、前記内側面８６ａと略直交する内側面（第２の面）８６ｂとを有し、前記突起部材７８が内側面８６ａに衝突した時の衝突力によってストッパ部材８２が回動した際に、他方の内側面８６ｂが前記突起部材７８に上方から当接するように構成されている。第１の係合部の内側面８６ａと８６ｂとは、９０度よりもやや大きい角度で形成され、内側面８６ｂには前記突起部材７８が係合する段差８８が形成されている。
【００３３】
前記第２の係合部は、第１の係合部と対称的に構成され、カム筒２１が図中反時計方向に回転した際に、前記突起部材７８が突き当てられる内側面８９ａと、前記内側面８９ａと略直交する内側面８９ｂとを有し、前記突起部材７８が内側面８９ａに衝突した時の衝突力によってストッパ部材８２が回動した際に、他方の内側面８９ｂが前記突起部材７８に上方から当接するように構成されている。第２の係合部の内側面８９ａと８９ｂとは、９０度よりもやや大きい角度で形成され、内側面８９ｂには、前記突起部材７８が係合する段差９０が形成されている。
【００３４】
また、ストッパ部材８２と固定筒８０の間には緩衝材としてゴム（弾性部材）９２、９３が設けられている。ゴム９２、９３は、ストッパ部材８２側に固着されていてもよいし、固定筒８０側に固着されていてもよい。
かかる構成によれば、操作棒２９ｂをテレ側に操作すると、その操作に応じてカム筒２１が回転し、カム筒２１の突起部材７８がストッパ部材８２の第１の係合部に近づく。特に、テレ端に操作された場合には、突起部材７８が第１の係合部の内側面８６ａに衝突し、その衝突力によってストッパ部材８２が支点９６を中心に図中反時計方向に回動する。このとき、固定筒８０とストッパ部材８２の間に設けられたゴム９３が変形することによって衝突時の衝撃力が緩和される。
【００３５】
ストッパ部材８２が図中反時計方向に回動することによって、第１の係合部の内側面８６ｂが上方から突起部材７８に当接し、該突起部材７８を押圧保持する。このとき、ストッパ部材８２の内側面８６ｂに形成された段差８８に突起部材５６の底面部が嵌合し、突起部材７８の振動を瞬時に止める。これにより、可動レンズをテレ端位置で振動することなく停止させることができる。
【００３６】
テレ端位置から操作棒２９ｂをワイド側に操作すると、カム筒２１が逆方向に回転する。この回転に伴って、ゴム９３の復元力によってストッパ部材８２が支点９６を中心とする平衡状態に戻される。このとき、突起部材７８は第１の係合部からスムーズに抜け出し、バリエータレンズ群１１はテレ端位置から滑らかに脱してワイド側へ変位する。
【００３７】
特に、操作棒２９ｂがワイド端に操作された場合は、その操作に応じてカム筒２１が回転し、カム筒２１の突起部材７８がストッパ部材８２の第２の係合部に近づく。可動レンズがワイド端に達すると、突起部材７８が第２の係合部の内側面８９ａに衝突し、その衝突力によってストッパ部材８２が支点９６を中心に図中時計方向に回動する。このとき、固定筒８０とストッパ部材８２の間に設けられたゴム９２が変形することによって衝突時の衝撃力が緩和される。
【００３８】
ストッパ部材８２が図中時計方向に回動することによって、第２の係合部の内側面８９ｂが上方から突起部材７８に当接し、突起部材７８を押圧する。この時、ストッパ部材８２の内側面８９ｂに形成された段差９０に突起部材７８の上部が嵌合し、突起部材７８の振動を瞬時に止める。これにより、バリエータレンズ群１１をワイド端位置で振動することなく停止させることができる。
【００３９】
このように、一つのストッパ部材でカム筒の回転範囲を規制し、テレ端とワイド端の位置で振動することなく停止させることができるという利点がある。
図６では、突起部材７８が第１の係合部に保持された時にテレ端に位置決めされ、突起部材７８が第２の係合部に保持される場合にワイド端に位置決めされる場合について説明したが、突起部材７８が第１の係合部に保持された時にワイド端に位置決めされ、突起部材７８が第２の係合部に保持される時にワイド端に位置決めされるようにしてもよい。図６ではバリエータレンズ群１１を例に説明したが、コンペンセータレンズ群１２についても同様に適用が可能である。
【００４０】
上記第１から第３の実施の形態では、突起部材が直方形状に形成されている場合について説明したが、これに限らず、楔形状などでもよく、ストッパ部材の内側面との関係で種々の形態が可能である。
また、図３、図５に示した回転レバー５８の内側面６２ｂや図６に示したストッパ部材８２の内側面８６ｂ、８９ｂに細かな凹凸を形成したり、滑り止め用のシートを貼り付ける等の滑り止め手段を施すことによって、突起部材５６、７８を確実に保持することができる。
【００４１】
【発明の効果】
以上説明したように本発明に係る光学装置によれば、突起部材がストッパ部材の第１の面に衝突した際の衝突力によってストッパ部材が回動し、この回動によって前記ストッパ部材の第２の面が突起部材に当接し、突起部材を瞬時に押圧保持するとともに、弾性部材によって衝突時の衝撃力を吸収するようにしたので、可動レンズを可動域の終端で振動することなく停止させることができる。また、可動レンズを可動域の終端から脱する方向に変位させるときには、ストッパ部材が回動するので、突起部材はストッパ部材からスムーズに抜け出せる。したがって、可動レンズを可動域端で瞬時に位置決めできると同時に、可動域端位置からの離脱も滑らかにできる。
【００４２】
特に、一軸二操作式のズームレンズ光学装置に適用する際、カム部材に突起部材を形成し、該突起部材と係合する第１、第２の係合部を有したストッパ部材を回動自在に設けるとともに、突起部材とストッパ部材との衝突時の衝撃力を弾性部材によって吸収するようにしたので、一つのストッパ部材でカム部材の回転範囲を規制でき、操作棒をクイック操作してテレ端、又はワイド端に移動させても、可動レンズはストッパ部材との衝突によって振動することもなく、瞬時に位置決めされる。これにより、良好な画像が維持できるとともに、カム部材の損傷を防止することができるという利点がある。
【図面の簡単な説明】
【図１】図１は、本発明に係る光学装置が適用される放送用テレビレンズ装置の全体構成を示す斜視図
【図２】図２はテレビレンズ装置のレンズ鏡胴内部の構成を示す部分断面図
【図３】図３は、本発明に係る光学装置の第１の実施の形態の構成を示す要部拡大図
【図４】図４は、本発明に係る光学装置の第１の実施の形態の作用を示す要部拡大図
【図５】図５は、本発明に係る光学装置の第２の実施の形態の構成を示す要部拡大図
【図６】図６は、本発明に係る光学装置の第３の実施の形態の構成を示す要部拡大図
【符号の説明】
１…レンズ鏡胴
１１…バリエータレンズ群
１２…コンペンセータレンズ群
１１ａ、１２ａ…レンズ枠
２１…カム筒
２２ａ、２２ｂ…カム溝
２９ｂ…操作棒
５２…可動レンズ群
５４…移動枠
５５…鏡胴本体
５６、７８…突起部材
５８…回転レバー
６２ａ、８６ａ、８９ａ…内側面（第１の面）
６２ｂ、８６ｂ、８９ｂ…内側面（第２の面）
６４、９２、９３…ゴム（弾性部材）
８０…固定筒
８２…ストッパ部材
【図１】
0003648734.tif 000002
【図２】
0003648734.tif 000003
【図３】
0003648734.tif 000004
【図４】
0003648734.tif 000005
【図５】
0003648734.tif 000006
【図６】
0003648734.tif 000007